(57)【要約】【課題】様々な使用者に対し、安定した歩行が可能なウォーキングステッキを提供する。【解決手段】シャフト２と、このシャフト２の上端部に取り付けられたグリップ３と、前記グリップ３を手で握ったときにその腕を支持するための腕支持部材５と、を備えたウォーキングステッキ１であって、前記腕支持部材５の位置を調整可能に構成する。【選択図】図１
2008086610.tif 000002
【特許請求の範囲】
【請求項１】
シャフトと、このシャフトの上端部に取り付けられたグリップと、前記グリップを手で握ったときにその腕を支持するための腕支持部材と、を備えたウォーキングステッキであって、
前記腕支持部材の位置を調整可能としたこと
を特徴とするウォーキングステッキ。
【請求項２】
前記腕支持部材は、腕帯と、延長シャフトと、取付部材と、により構成されており、
前記取付部材は、前記シャフトに沿って移動可能に取り付けられていること
を特徴とする請求項１に記載のウォーキングステッキ。
【請求項３】
前記延長シャフトは、前記シャフトに対して、回動可能に取り付けられていること
を特徴とする請求項２に記載のウォーキングステッキ。
【請求項４】
前記腕帯は、前記延長シャフトに対して、スライド可能に取り付けられていること
を特徴とする請求項２又は３に記載のウォーキングステッキ。
【発明の詳細な説明】
【技術分野】
【０００１】
本発明は歩行補助用のウォーキングステッキに関し、より安定した歩行を可能としたものである。
【背景技術】
【０００２】
一般に歩行補助用のウォーキングステッキは、例えば下記の特許文献１に開示されるもののように、シャフトと、このシャフトの上端部に取り付けられるグリップと、により構成されている。ここでシャフトは任意の長さに伸縮調整可能な軽金属材やカーボン材等によりなるパイプで構成され、このシャフトの上端部にグリップがＴ字状に取り付けられており、使用者はこのグリップを手で握り、シャフトの先端で地面を突きながら歩行するものである。
【０００３】
このようなウォーキングステッキは、トレッキング用に広く普及されているが、近年では老人や障害者のための介護用ステッキとしても広く用いられてきている。
【特許文献１】特開２００５−１２４９８２号公報
【発明の開示】
【発明が解決しようとする課題】
【０００４】
上記のような従来のウォーキングステッキを使用する人の中で、特に腕の力が弱った人などは、ウォーキングステッキをうまく操作することができず、ふらつきながら使用していた。これを解決するために、腕の力が弱った人などでも安定した歩行ができるように、腕を支持した状態でグリップを握らせるための腕支持部材をシャフトに取り付けたステッキが、本出願人により提案されている（特願２００５−２００４７７号）。
【０００５】
しかしながら、ステッキの使用者は、多種多様であり、例えば、手の長い者や短い者など様々な身体的特徴を備えている。したがって、シャフトに対して腕支持部材が固定され、その位置が調整できないような場合には、使用者によっては、グリップをうまく握ることができず、安定した歩行がしづらくなる場合もあり得る。
【０００６】
本発明の目的は、上記のような問題点を考慮し、あらゆる使用者に対して安定した歩行が可能となるウォーキングステッキを提供することである。
【課題を解決するための手段】
【０００７】
本発明は、上記のような目的を達成するためになされたものであり、この目的は、下記（１）〜（４）の発明によって達成される。
【０００８】
（１）シャフトと、このシャフトの上端部に取り付けられたグリップと、前記グリップを手で握ったときにその腕を支持するための腕支持部材と、を備えたウォーキングステッキであって、
前記腕支持部材の位置を調整可能としたこと
を特徴とするウォーキングステッキ。
【０００９】
（２）前記腕支持部材は、腕帯と、延長シャフトと、取付部材と、により構成されており、
前記取付部材は、前記シャフトに沿って移動可能に取り付けられていること
を特徴とする上記（１）に記載のウォーキングステッキ。
【００１０】
（３）前記延長シャフトは、前記シャフトに対して、回動可能に取り付けられていること
を特徴とする上記（２）に記載のウォーキングステッキ。
【００１１】
前記腕帯は、前記延長シャフトに対して、スライド可能に取り付けられていること
を特徴とする上記（２）又は（３）に記載のウォーキングステッキ。
【発明の効果】
【００１２】
本発明のウォーキングステッキによれば、腕支持部材によって腕が支持された状態でグリップを握ることにより、腕の力が弱った人などでもウォーキングステッキをうまく操作することができる。また、グリップに対する腕支持部材の位置を調整することができるので、使用者は最適の状態でウォーキングステッキを使用することができる。
【発明を実施するための最良の形態】
【００１３】
以下、本発明に係るウォーキングステッキを実施するための一実施の形態について、図面を参照して説明するが、本発明は以下の実施の形態に限定されるものではない。
【００１４】
図１は、本発明の一実施の形態に係るウォーキングステッキ１の全体構成を示したものである。
図１に示すように、本実施の形態に係るウォーキングステッキ１は、シャフト２と、このシャフト２の上端部に取り付けられるグリップ３と、シャフト２に取り付けられた腕支持部材５と、により構成されている。ここで、シャフト２は、任意の長さに伸縮調整可能なアルミニウム等の軽金属材やカーボン材等によりなるパイプで構成されている。このシャフト２の上端部にＴ字状のグリップ３が取り付けられており、使用者はこのグリップ３を手で握り、シャフト２の先端で地面を突きながら歩行するものである。
【００１５】
シャフト２は複数段２ａ，２ｂで構成されて伸縮調整可能となっており、またシャフト２の先端(下端)にはゴム等によりなる滑り止め部材４が取り付けられている。
【００１６】
グリップ３は、木材あるいは合成樹脂により構成されており、使用者の握り易さを考慮した形状であれば、特に本実施形態のＴ字形状に限られるものではない。
【００１７】
腕支持部材５は、シャフト２の上部に取り付けられた取付部材６と、取付部材６に回動可能に支持されて、シャフト２の上部に傾斜状に取り付けられる延長シャフト７と、この延長シャフト７の上端部に取り付けられる腕帯８と、により構成される。この腕支持部材５により、使用者がグリップ３を手で握ったときに、使用者の腕（手首）が支持される。
【００１８】
取付部材６は、シャフト２の外郭形状と合致した嵌合部を備えた部材であって、回動軸１０を延長シャフト７に貫通させた状態で、螺子等によってシャフト２に固定されている。
取付部材６は、螺子を緩めることにより、シャフト２に沿って移動させることができる。腕帯８を、使用者にとって最適な位置に移動させた後、螺子を締めるけることにより、取付部材６をシャフト２に固定する。なお、取付部材の構成は、シャフトに対して移動可能に取り付けられるものであれば、他の構成であってもよい。
【００１９】
延長シャフト７は、シャフト２と同じく軽金属製パイプや、硬質の合成樹脂、ＦＲＰ（ガラス繊維強化樹脂）等のパイプまたは棒で構成されており、その下端部が取付部材６に回動可能に支持されている。延長シャフト７は、取付部材６に備えられた回動軸１０を支点として、シャフト２の上部を回動する。なお、延長シャフト７を伸縮可能とし、腕帯８の高さ位置を調整できるように構成してもよい。
【００２０】
腕帯とは、腕を抱持する部材をいい、本実施形態の腕帯８は、環状のプラスチックあるいは金属製の成形品であり、連結軸１１を介して延長シャフト７の上端部に回動可能に連結されている。また、腕帯８の連結軸１１と連結する部分には、長手方向に直線形状を有する略楕円状のスライド用の孔１２が形成されており、スライド孔１２における連結軸１１の位置を移動させることにより、腕帯８をスライド孔１２の長手方向に沿って移動させることができる。
【００２１】
連結軸１１は、例えば螺子とナットの組み合わせによって構成されており、螺子を緩めることで、腕帯８をスライド孔１２の長手方向に沿って移動させることができる。腕帯８を、使用者にとって最適な位置に移動させた後、螺子を締め付けることにより、延長シャフト７に腕帯８を取り付け固定する。なお、腕帯８は、連結軸１１によって固定された状態であっても、上述したように回動させることができる。
【００２２】
図２は、本実施の形態に係るウォーキングステッキ１を使用した際の状態を示す図である。図２において、図１と対応する部分には同一の符号を付してその説明を省略する。
【００２３】
図２に示すように、本実施形態のウォーキングステッキ１を使用する際には、腕支持部材５の腕帯８に腕を通した状態でグリップ３を手で握り、その状態でシャフト２の先端で地面を突きながら歩行するようにする。
【００２４】
このように腕支持部材５の腕帯８によって腕が支持された状態でグリップ３を握ることにより、例えば腕の力が弱った人などでもウォーキングステッキ１をうまく操作できるので、歩行中にふらつくことはなく、より安定した歩行が可能となる。
【００２５】
図３は、本実施の形態に係る腕支持部材５の取付部材６をシャフト２に沿って移動させた状態を示す図である。図３において、図２と対応する部分には、同一の符号を付してその説明を省略する。
【００２６】
図３に示すように、腕帯８の位置は、シャフト２に対して上下方向に移動可能となっている。これにより、グリップ３を握った状態で腕帯８により保持される使用者の手首の位置を変えることができる。すなわち、グリップ３の位置と腕帯８の位置との距離を変えて手首の状態を変えることにより、使用者は、最適な状態でグリップ３を握ることが可能となり、より使い易い状態でウォーキングステッキ１を使用することができる。
【００２７】
図４は、本実施の形態に係る腕支持部材５の延長シャフト７をシャフト２に対して回動させた状態を示す図である。図４において、図２と対応する部分には、同一の符号を付してその説明を省略する。
【００２８】
図４に示すように、腕帯８の位置は、シャフト２に対して、回動する方向に移動可能となっている。これにより、グリップ３を握った状態で腕帯８により保持される使用者の手首の位置を変えることができる。すなわち、シャフト２と延長シャフト７とがなす角度を変化させて手首の状態を変えることにより、使用者は、最適な状態でグリップ３を握ることが可能となり、より使い易い状態でウォーキングステッキ１を使用することができる。
【００２９】
図５は、本実施の形態に係る腕支持部材５の腕帯８を延長シャフト７に対してスライド移動させた状態を示す図である。図５において、図２と対応する部分には、同一の符号を付してその説明を省略する。
【００３０】
図５に示すように、腕帯８の位置は、延長シャフト７に対して直交する方向に、スライド移動可能となっている。これにより、これにより、グリップ３を握った状態で腕帯８により保持される使用者の手首の位置を変えることができる。したがって、延長シャフト７と腕帯８との距離を変えて手首の状態を変えることにより、使用者は、最適な状態でグリップ３を握ることが可能となり、より使い易い状態でウォーキングステッキ１を使用することができる。
【００３１】
以上述べたように、本実施形態のウォーキングステッキ１によれば、ステッキを使用する際には、使用者の身体的な特徴に合わせて、腕帯８の位置を移動させて、使用者にとって最もグリップ３を握りやすい状態に調整することができ、より最適な状態でウォーキングステッキ１を使用することができる。
【００３２】
また、本実施形態のウォーキングステッキ１によれば、ステッキを使用する状況に応じて、適宜、腕支持部材５の位置の微調整を行い、より最適な状態でウォーキングステッキ１を使用することができる。例えば、平坦な道から坂道（階段）に移るような場合には、必要な調整を行い、より最適な状態でウォーキングステッキ１を使用することができる。
【００３３】
なお、このウォーキングステッキ１は、腕支持部材５がシャフト２に対し着脱自在に取り付けられているので、腕の支持が不必要なときには、シャフト２から腕支持部材５を取り外すことにより、普通のウォーキングステッキとして使用することができる。
【００３４】
また、本発明のウォーキングステッキは、上述の各形態に限定されるものではなく、その他材料、構成等において本発明の構成を逸脱しない範囲において種々の変形、変更が可能であることはいうまでもない。
【図面の簡単な説明】
【００３５】
【図１】本発明の一実施形態に係るウォーキングステッキの全体構成を示す側面図である。
【図２】本発明の一実施形態に係るウォーキングステッキの使用状態の説明図である。
【図３】腕支持部材の取付部材を移動させた状態の説明図である。
【図４】腕支持部材の延長シャフトを回動させた状態の説明図である。
【図５】腕支持部材の腕帯をスライドさせた状態の説明図である。
【符号の説明】
【００３６】
１・・ウォーキングステッキ、２・・シャフト、３・・グリップ、４・・滑り止め部材、５・・腕支持部材、６・・取付部材、７・・延長シャフト、８・・腕帯、１０・・回動軸、１１・・連結軸、１２・・スライド孔
【図１】
2008086610.tif 000003
【図２】
2008086610.tif 000004
【図３】
2008086610.tif 000005
【図４】
2008086610.tif 000006
【図５】
2008086610.tif 000007